(57)【要約】【課題】遊技者に対して役物が動いている印象を強く与えることが可能となる遊技機を提供する。【解決手段】胴体部３１と肢部３６とが移動して互いの相対位置が変位することにより、役物３０の姿勢状態が遊技者側から見た際に肢部３６が胴体部３１の背後に隠れて見えない遮蔽状態と遊技者側から見た際に肢部３６が胴体部３１と繋がって見える延出状態との間で変化し、肢部３６はその形状が変化しないように形成され、肢部３６が移動して、胴体部３１から延出すると同時に胴体部３１が移動することにより、役物３０の姿勢状態が遮蔽状態から延出状態へと変化し、肢部３６が胴体部３１の背後に移動すると同時に胴体部３１が遮蔽状態から延出状態へと変化する際の移動方向とは逆の方向に移動することにより、役物３０の姿勢状態が延出状態から遮蔽状態へと変化する。【選択図】図４
2013230200.tif 000002
【特許請求の範囲】
【請求項１】
胴体部と、肢部と、を備える役物を具備する遊技機であって、
前記胴体部と少なくとも一つの前記肢部とは移動可能に構成され、
前記胴体部と前記肢部とが移動して互いの相対位置が変位することにより、前記役物の姿勢状態が、遊技者側から見た際に前記肢部の一部又は全部が前記胴体部の背後に隠れて見えない遮蔽状態と、遊技者側から見た際に、前記遮蔽状態よりも前記胴体部からの前記肢部の表出度合が高く、前記肢部が前記胴体部と繋がって見える延出状態と、の間で変化するように構成され、
前記肢部が移動して、その一部が前記胴体部から延出すると同時に、前記胴体部が移動することにより、前記役物の姿勢状態が、前記遮蔽状態から前記延出状態へと変化し、
前記肢部と前記胴体部とが前記遮蔽状態から前記延出状態へと変化する際の移動方向とは逆の方向に移動することにより、前記役物の姿勢状態が、前記延出状態から前記遮蔽状態へと変化するように構成される、
ことを特徴とする、遊技機。
【発明の詳細な説明】
【技術分野】
【０００１】
本発明は、遊技機の技術に関し、具体的には遊技機における役物に関する。
【背景技術】
【０００２】
従来、パチンコ等の遊技機においては、人を模した人形などの役物をセンター役物に設ける場合があり、この役物を可動させて遊技の興趣を高める技術が知られている（例えば、特許文献１を参照）。
【先行技術文献】
【特許文献】
【０００３】
【特許文献１】特開２００５−３３４４９９号公報
【発明の概要】
【発明が解決しようとする課題】
【０００４】
特許文献１によれば、人形の腕や足などの肢部のみを可動させている。しかしながら、肢部のみを可動させるだけでは、人形全体における動きが乏しいため、遊技者に与える印象が薄くなる可能性があった。
【０００５】
本発明は、上記のような問題点に鑑みてなされたものであり、遊技者に対して役物が動いている印象を強く与えることができる遊技機を提供するものである。
【課題を解決するための手段】
【０００６】
本発明の解決しようとする課題は以上の如くであり、次にこの課題を解決するための手段を説明する。
【０００７】
即ち、請求項１においては、胴体部と、肢部と、を備える役物を具備する遊技機であって、前記胴体部と少なくとも一つの前記肢部とは移動可能に構成され、前記胴体部と前記肢部とが移動して互いの相対位置が変位することにより、前記役物の姿勢状態が、遊技者側から見た際に前記肢部の一部又は全部が前記胴体部の背後に隠れて見えない遮蔽状態と、遊技者側から見た際に、前記遮蔽状態よりも前記胴体部からの前記肢部の表出度合が高く、前記肢部が前記胴体部と繋がって見える延出状態と、の間で変化するように構成され、前記肢部が移動して、その一部が前記胴体部から延出すると同時に、前記胴体部が移動することにより、前記役物の姿勢状態が、前記遮蔽状態から前記延出状態へと変化し、前記肢部と前記胴体部とが前記遮蔽状態から前記延出状態へと変化する際の移動方向とは逆の方向に移動することにより、前記役物の姿勢状態が、前記延出状態から前記遮蔽状態へと変化するように構成されるものである。
【発明の効果】
【０００８】
本発明によれば、肢部を動かすと同時に胴体部を動かして役物の姿勢状態を変化させることで、遊技者に対して役物が動いている印象を強く与えることが可能となる。
【図面の簡単な説明】
【０００９】
【図１】第一実施形態に係る遊技機の全体的な構成を示した正面図。
【図２】第一実施形態に係る遊技機の窓枠が開放された状態の構成を示した正面斜視図。
【図３】遮蔽状態における役物が配置された遊技盤の構成を示した正面図。
【図４】延出状態における役物が配置された遊技盤の構成を示した正面図。
【図５】（ａ）及び（ｂ）はそれぞれ、第一実施形態に係る役物の構成部分の動きを示した正面図。
【図６】（ａ）及び（ｂ）はそれぞれ、第一実施形態に係る役物の遮蔽状態及び延出状態を示した正面図。
【図７】（ａ）及び（ｂ）はそれぞれ、第二実施形態に係る役物の遮蔽状態及び延出状態を示した正面図。
【発明を実施するための形態】
【００１０】
まず、本発明に係る遊技機の第一実施形態である遊技機１の全体的な構成について、図面を用いて説明する。
なお、以下の説明では、遊技機１を遊技者側から見て、手前側を遊技機１の前側とし、奥側を遊技機１の後側として、前後方向を規定する。また、遊技機１を遊技者側から見て、左手側を遊技機１の左側とし、右手側を遊技機１の右側として、左右方向を規定する。
【００１１】
遊技機１は、図１及び図２が示すように、主として、外枠２と、中枠３と、窓枠４と、により構成される枠体に、各種の遊技部品が取り付けられて形成される。
【００１２】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１４】
遊技盤５は、略平板状に形成される部材である。遊技盤５は、中枠３の下側を除く略全面に渡って、中枠３に着脱自在に取り付けられる。遊技盤５の前側の表面には、遊技球が転動する領域である遊技領域１９が形成される（図３及び図４を参照）。また、遊技盤５における遊技領域１９の部分には、遊技球を不規則に転動させるために図示しない多数の遊技釘が打ち込まれている。
【００１５】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１６】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００１７】
次に、遊技盤５の構成について、図３及び図４を用いてさらに詳細に説明する。
【００１８】
遊技盤５には、遊技部品としてガイドレール１０、図柄表示装置１１、図柄表示開口部１２、一般入賞口１３、大入賞装置１４、可変入賞装置１５、アウト口１６、役物３０などが設けられている。
【００１９】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２０】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２１】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２２】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２３】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２４】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２５】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２６】
役物３０は、遊技領域１９の上部であって図柄表示開口部１２の周囲（本実施形態においては図柄表示開口部１２の右上方）に配置される。役物３０は、大当たり時やイベント開始時において適宜可動する可動体などにより、遊技者に視覚的な印象（インパクト）を与え、その遊技者の興趣を高める可動役物として構成される。具体的には後述する如く、役物３０の姿勢状態が、図３に示す遮蔽状態と、図４に示す延出状態と、の間で変化するように構成されている。なお、本実施形態において、役物３０は人の姿を模した人形として形成されているが、役物３０の外観は人型に限定されるものではない。例えば動物やロボットなど、胴体部と手足等の肢部とを備えるものであればその形状を役物３０に採用することが可能である。
【００２７】
次に、役物３０の構成について、図５及び図６を用いて説明する。
役物３０は、移動可能に構成される胴体部３１と、遊技者側から見た際にその基端部が胴体部３１の背後に位置するとともに移動可能に構成される、肢部３６と、を備える。
【００２８】
詳細には、胴体部３１はその左半身を遊技者側（前側）に向けて、左腕の全体が見える姿勢で配置されている。さらに、肢部３６は役物３０の右腕として形成されている。肢部３６（役物３０の右腕）はその形状が変化しないように形成されている。つまり、後述する延出状態において遊技者から視認可能となっている肢部３６の部分に、肢部３６を回転可能に連結する関節を設けていないので、肢部３６そのものの造形感（リアリティーさ）を高めることができる。そして、肢部３６の基端部が、左半身を前側に向けている胴体部３１よりも遊技者の反対側（後側）に位置することにより、胴体部３１の背後に位置するように構成されているのである。換言すれば、役物３０は恰も右腕部分（肢部３６）の基端部（役物３０の右肩関節に相当する部分）が胴体部３１によって遊技者から隠れる姿勢で配置されているのである。なお、本明細書における「胴体部３１の背後」とは、「胴体部３１の後方空間」のみを意味するものではない。即ち、「胴体部３１の背後」とは、胴体部３１の後方であって肢部３６の基端部が遊技者から見えない位置を指すものである。例えば、「胴体部３１の斜め後方」や、「胴体部３１の後方に配置された他の装飾部材の後方」などに肢部３６の基端部が位置していた場合でも、基端部が遊技者から見えない位置に配置されていれば「胴体部３１の背後」に位置するものとする。また、本明細書における「胴体部」とは、胴体のみに限るものではなく、胴体と一体的に頭部や移動可能に構成されていない肢部（本実施形態における左腕）等が設けられていてもよい。
【００２９】
役物３０は、胴体部３１及び肢部３６がそれぞれ適宜可動することにより、全体的に統一した動きを行うことができる。具体的には、図５（ａ）及び（ｂ）に示す如く、胴体部３１及び肢部３６のそれぞれは、本体連結部３１ａ及び肢部連結部３６ａに連結されている。そして、それぞれの連結部はモータやピストン等で構成される図示しない駆動手段により、胴体部３１は図５（ａ）中の矢印Ａに示す如く略上下方向に、肢部３６は図５（ｂ）中の矢印Ｂに示す如く略左右方向に移動可能に構成されているのである。
【００３０】
なお、胴体部３１及び肢部３６を駆動させる駆動手段を共通として、互いが連動して動くように構成することも可能である。また、本実施形態における胴体部３１及び肢部３６はそれぞれが直線的な動きをするように構成されているが、双方又は一方を回転運動やその他の動きをするように構成することも可能である。
【００３１】
そして、上記の如く胴体部３１と肢部３６とが移動して、互いの相対位置が変位することにより、役物３０の姿勢状態が、遮蔽状態と延出状態との間で変化するように構成されている。具体的には「遮蔽状態」とは、図３及び図６（ａ）に示す如く、遊技者側から見た際に肢部３６の一部又は全部が胴体部３１の背後に隠れて見えない状態をいう。より詳細には、胴体部３１が図５（ａ）中の実線部分に示す如く上側に位置しているときに、肢部３６が図５（ｂ）中の実線部分に示す如く右側に位置することにより、図６（ａ）に示す如く肢部３６が胴体部３１の背後に隠れるのである。本実施形態における遮蔽状態では、肢部３６の全部が胴体部３１の背後に隠れるように構成されている。なお、肢部３６の先端側において一部（例えば、手先のみ）を胴体部３１から延出させて、基端側の大部分を胴体部３１の背後に隠れた状態を「遮蔽状態」とすることも可能である。また、肢部３６を胴体部３１のみで隠れるように構成することも可能である。
【００３２】
また、「延出状態」とは、図４及び図６（ｂ）に示す如く、遊技者側から見た際に、遮蔽状態よりも胴体部３１からの肢部３６の表出度合が高く、肢部３６が胴体部３１と繋がって見える状態をいう。より詳細には、胴体部３１が図５（ａ）中の二点鎖線部分に示す如く下側に位置しているときに、肢部３６が図５（ｂ）中の二点鎖線部分に示す如く左側に位置することにより、図６（ｂ）に示す如く肢部３６が胴体部３１から伸長して見えるのである。本実施形態における延出状態では、肢部３６が胴体部３１と繋がって伸長し、肢部３６の殆どの部分が見えるように構成されている。なお、肢部３６の先端側の一部分（例えば、肘関節よりも先端側のみ）を胴体部３１から延出させて、基端側の一部分を胴体部３１の背後に隠れた状態を「延出状態」とすることも可能である。つまり、延出状態における胴体部３１からの肢部３６の表出度合が、遮蔽状態よりも高くなれば良い。
【００３３】
本実施形態において肢部３６は、延出状態において遊技者側から視認できる部分（右腕上腕部から右手先端部）はその形状が一定に形成されている。つまり、右肘や右手首で可動する構成ではなく、右腕部分の形状が変化しないように形成されているのである。
【００３４】
上記の如く構成された役物３０において、図６（ａ）に示す遮蔽状態から、図６（ａ）中の矢印Ａ１に示す如く胴体部３１が下方に移動すると同時に、図６（ａ）中の矢印Ｂ１に示す如く肢部３６が左方に移動して、その一部（基端部を除く部分）が胴体部３１から延出することにより、役物３０の姿勢状態が図６（ｂ）に示す如く延出状態へと変化するのである。即ち、本実施形態においては図６（ａ）に示す如く、遮蔽状態から延出状態へと変化する場合は、胴体部３１は肢部３６が伸長する方向（左上方）と略反対の方向に移動するのである。
【００３５】
また、図６（ｂ）に示す延出状態から、図６（ｂ）中の矢印Ａ２に示す如く胴体部３１が、遮蔽状態から延出状態へと変化する際の移動方向とは逆の方向である上方に移動する。それと同時に、図６（ｂ）中の矢印Ｂ２に示す如く肢部３６が胴体部３１の背後に、遮蔽状態から延出状態へと変化する際の移動方向とは逆の方向である右方に移動することにより、役物３０の姿勢状態が図６（ａ）に示す如く遮蔽状態へと変化するのである。即ち、本実施形態においては図６（ｂ）に示す如く、延出状態から遮蔽状態へと変化する場合は、胴体部３１は肢部３６が伸長する方向（左上方）と略同じ方向に移動するのである。
【００３６】
本実施形態によれば上記の如く構成することにより、役物３０の肢部３６を可動させる場合に、肩や肘などの関節を回転軸とせずに肢部３６を移動させている。このように、肢部３６の基端部（役物３０の右肩関節に相当する部分）を胴体部３１によって遊技者から隠れる姿勢に配置することにより、遊技者に対して関節部分において肢部３６の動きが不自然である印象を与えないのである。
【００３７】
また、本実施形態によれば、肢部３６だけではなく、胴体部３１をも移動させることにより、図３及び図４に示す如く役物３０の全体において躍動的な動きをさせることができ、遊技者に強い印象を与えることが可能となる。
また、胴体部３１及び肢部３６が移動することで、役物３０が全体的に動いている印象を遊技者に与えることができる。このため、肢部３６のみが動くことによって遊技者が感じる不自然さをなくすことができるのである。
【００３８】
さらに、肢部３６と胴体部３１との双方を重ねて配置し、互いに略反対方向に移動させることにより、遮蔽状態から延出状態に至るまでの肢部３６及び胴体部３１の移動距離を、肢部３６のみを移動させた場合における肢部３６の移動距離よりも短くすることができる。つまり、遮蔽状態から延出状態に変化する際に要する時間を短くすることができ、役物３０の動きをより躍動的にすることが可能となる。
【００３９】
加えて、肢部３６と胴体部３１との双方を移動させることにより、肢部３６のみを移動させて胴体部３１から延出させる構成と比べて、肢部３６の移動スペースの省スペース化を図ることができる。具体的には、胴体部３１と肢部３６とを略反対の方向に移動させることにより、胴体部３１の位置していた部分に肢部３６を延出させることが可能となるのである。つまり、胴体部３１を固定した場合には肢部３６が延出するスペースを大きくとる必要があるのに対して、肢部３６と胴体部３１との双方を移動させることにより、限られた空間内において役物３０をダイナミックに動かすことが可能となるのである。
【００４０】
次に、第二実施形態に係る役物１３０の構成について、図７を用いて説明する。なお、本実施形態における役物１３０以外の構成については、前記第一実施形態と略同一であるため、以下では既出の実施形態と共通する部分についてはその説明を省略し、役物１３０の構成を中心として説明する。
【００４１】
役物１３０は、移動可能に構成される胴体部３１と、移動可能に構成される第一肢部３５と、遊技者側から見た際にその基端部が胴体部３１の背後に位置するとともに移動可能に構成される、第二肢部３６と、を備える。
【００４２】
詳細には、胴体部３１はその左半身を遊技者側（前側）に向けて、左腕の全体が見える姿勢で配置されている。さらに、第一肢部３５及び第二肢部３６はそれぞれ役物１３０の右腕の先端部及び全体部として形成されている。そして、第一肢部３５及び第二肢部３６の基端部が、左半身を前側に向けている胴体部３１よりも遊技者の反対側（後側）に位置することにより、胴体部３１の背後に位置するように構成されているのである。換言すれば、役物１３０は恰も右腕部分（第一肢部３５及び第二肢部３６）の基端部（役物１３０の右肩関節に相当する部分）が胴体部３１によって遊技者から隠れる姿勢で配置されているのである。
【００４３】
なお、第一肢部３５及び第二肢部３６は同じ右腕として形成されているものであるため、遊技者から同時に視認できないように構成されている。また、第一肢部３５と第二肢部３６とは、遊技者から見た際の奥行き位置（前後位置）が略同一となるとともに互いに干渉しないように配置されており、双方によって自然な右腕の動きがなされるように構成されている。
【００４４】
役物１３０は、胴体部３１、第一肢部３５及び第二肢部３６がそれぞれ適宜可動することにより、全体的に統一した動きを行うことができる。具体的には、図７（ａ）及び（ｂ）に示す如く、胴体部３１、第一肢部３５及び第二肢部３６のそれぞれは、本体連結部３１ａ、第一肢部連結部３５ａ及び第二肢部連結部３６ａに連結されている。そして、それぞれの連結部は図示しない駆動手段により、胴体部３１は図７（ａ）及び（ｂ）中の矢印Ａ１・Ａ２に示す如く略上下方向に、第一肢部３５は図７（ａ）及び（ｂ）中の矢印Ｂ１・Ｂ２に示す如く略上下方向に、第二肢部３６は図７（ａ）及び（ｂ）中の矢印Ｃ１・Ｃ２に示す如く略左右方向に移動可能に構成されているのである。
【００４５】
そして、上記の如く胴体部３１、第一肢部３５及び第二肢部３６がそれぞれ移動し、互いの相対位置が変位することにより、役物１３０の姿勢状態が、遮蔽状態と延出状態との間で変化するように構成されている。具体的には「遮蔽状態」とは、図７（ａ）に示す如く、遊技者側から見た際に第二肢部３６が胴体部３１の背後に隠れて見えず、第一肢部３５（右腕の先端部）が見えている状態をいう。また、「延出状態」とは、図７（ｂ）に示す如く、遊技者側から見た際に第二肢部３６が胴体部３１と繋がって見え、第一肢部３５が隠れる状態をいう。
【００４６】
上記の如く構成された役物１３０において、図７（ａ）に示す遮蔽状態から、図７（ａ）中の矢印Ａ１に示す如く胴体部３１が下方に移動し、図７（ａ）中の矢印Ｂ１に示す如く第一肢部３５が上方に移動すると同時に、その後に図７（ａ）中の矢印Ｃ１に示す如く第二肢部３６が胴体部３１から延出して左方に移動することにより、役物１３０の姿勢状態が図７（ｂ）に示す如く延出状態へと変化するのである。
【００４７】
また、図７（ｂ）に示す延出状態から、図７（ｂ）中の矢印Ａ２に示す如く胴体部３１が上方に移動し、図７（ｂ）中の矢印Ｃ２に示す如く第二肢部３６が胴体部３１の背後に右方に移動すると同時に、その後に図７（ｂ）中の矢印Ｂ１に示す如く第一肢部３５が下方に移動することにより、役物１３０の姿勢状態が図７（ａ）に示す如く遮蔽状態へと変化するのである。なお、本実施形態においては、第一肢部３５を可動させるように構成したが、第一肢部３５を固定し、胴体部３１を第一肢部３５の前方で移動させることによって、第一肢部３５が遊技者に見える状態（前述の「遮蔽状態」）と第一肢部３５が隠れた状態（前述の「延出状態」）とを切り替える構成とすることも可能である。
【００４８】
本実施形態によれば上記の如く構成することにより、遮蔽状態において胴体部３１の下方に見えていた右腕（第一肢部３５）が胴体部３１の背後に隠れ、さらに胴体部３１から右腕（第二肢部３６）が伸長して延出することにより、恰も下方に下げていた右腕を上方に振り上げたような印象を遊技者に与えることができる。その際にも、第一肢部３５及び第二肢部３６の基端部（役物３０の右肩関節に相当する部分）を胴体部３１によって遊技者から隠れる姿勢に配置することにより、遊技者に対して関節部分において右腕（第一肢部３５及び第二肢部３６）の動きが不自然である印象を与えないのである。
【００４９】
また、本実施形態においても、第一肢部３５及び第二肢部３６と同時に胴体部３１を可動させることにより、役物１３０の全体において躍動的な動きをさせることができ、遊技者に強い印象を与えることが可能となる。
【符号の説明】
【００５０】
１    遊技機
５    遊技盤
３０    役物
３１    胴体部
３６    肢部
【図１】
2013230200.tif 000003
【図２】
2013230200.tif 000004
【図３】
2013230200.tif 000005
【図４】
2013230200.tif 000006
【図５】
2013230200.tif 000007
【図６】
2013230200.tif 000008
【図７】
2013230200.tif 000009